(57)【要約】【課題】画像信号供給装置において、使用されていないときに、自動的に、電力供給状態をパワーオフ状態にする。【解決手段】画像信号供給装置は、画像表示装置から＜Routing Change＞メッセージ（画像表示動作状態を切換えたこと及び画像表示動作状態を切換えた後の新しく画像を表示することになった画像信号の供給元の装置のアドレスを示すＣＥＣメッセージ）を受信したときに（＃１でＹＥＳ）、自身（画像信号供給装置）の電力供給状態がパワーオン状態であれば（＃２でＹＥＳ）、受信した＜Routing Change＞メッセージに示されているアドレスが自身（画像信号供給装置）のアドレスと同じであるか否かを判定する（＃３）。そして、受信した＜Routing Change＞メッセージに示されているアドレスが自身（画像信号供給装置）のアドレスと同じでなければ（＃３でＮＯ）、自身の電力供給状態をパワーオフ状態にする（＃４）。【選択図】図４
2012049744.tif 000002
【特許請求の範囲】
【請求項１】
供給された画像信号による画像をディスプレイに表示する画像表示装置に外部機器として接続して使用され、画像信号生成手段により生成した画像信号を前記画像表示装置に供給する画像信号供給装置において、
本装置の電力供給状態を、前記画像信号生成手段に電力を供給しているパワーオン状態と、前記画像信号生成手段に電力を供給していないパワーオフ状態とに切り替える制御を行う電力供給状態制御手段を備え、
前記電力供給状態制御手段は、
前記画像表示装置の画像表示動作状態が本装置から供給される画像信号による画像を前記ディスプレイに表示する状態であるか否かを判定し、
この判定の結果、前記画像表示装置の画像表示動作状態が本装置から供給される画像信号による画像を前記ディスプレイに表示する状態でなければ、本装置の電力供給状態をパワーオフ状態にする、
ことを特徴とする画像信号供給装置。
【請求項２】
前記画像表示装置には、複数の画像信号供給装置が接続可能であり、
前記画像表示装置は、ＨＤＭＩ（High Definition Multimedia Interface）規格のＣＥＣ（Consumer Electronics Control）メッセージを送受信する機能を有しており、画像表示動作状態を、ある装置から供給される画像信号による画像を前記ディスプレイに表示する状態から、別の装置から供給される画像信号による画像を前記ディスプレイに表示する状態に切換えると、画像表示動作状態を切換えたこと及び画像表示動作状態を切換えた後の新しく前記ディスプレイに画像を表示することになった画像信号の供給元の装置のアドレスを示すＣＥＣメッセージである＜Routing Change＞メッセージを送信し、
前記電力供給状態制御手段は、
前記＜Routing Change＞メッセージを受信したときに、前記＜Routing Change＞メッセージに示されているアドレスと本装置のアドレスとを比較して、前記画像表示装置の画像表示動作状態が本装置から供給される画像信号による画像を前記ディスプレイに表示する状態であるか否かを判定し、
この判定の結果、前記画像表示装置の画像表示動作状態が本装置から供給される画像信号による画像を前記ディスプレイに表示する状態でなければ、本装置の電力供給状態をパワーオフ状態にする、
ことを特徴とする請求項１に記載の画像信号供給装置。
【発明の詳細な説明】
【技術分野】
【０００１】
本発明は、供給された画像信号による画像を表示する画像表示装置に外部装置として接続され、画像表示装置に画像信号を供給する画像信号供給装置に関するものである。
【背景技術】
【０００２】
従来から、テレビジョン受像機などの画像表示装置に外部機器として接続して使用されるＤＶＤプレーヤやＳＴＢなどの画像信号供給装置がある。このような画像信号供給装置は、自身で生成した画像信号（ＤＶＤプレーヤであれば、ＤＶＤから読取った記録データから生成した画像信号、ＳＴＢであれば、テレビジョン放送局から受信したテレビジョン信号から生成した画像信号）を画像表示装置に供給することにより、その画像信号による画像を画像表示装置で表示することができるようになっている。
【０００３】
画像表示装置には、複数の画像信号供給装置を接続することが可能なものがあり、複数の画像信号供給装置を画像表示装置に接続して使用する場合がある。このような場合、画像表示装置は、いずれかの画像信号供給装置を選択して、その選択した画像信号供給装置から供給された画像信号による画像を表示するようになっている。
【０００４】
一方、経路外のデジタル装置を無視聴装置と判定して、無視聴装置に電源オフＣＥＣコマンドを送信するようにしたデジタルＴＶが知られている（例えば特許文献１参照）。また、表示装置に入力される映像及び音声信号の入力経路を判定して、その判定結果に基いて、リピータ機器の電源オン／オフを制御するためのＣＥＣメッセージを送信するようにした表示装置が知られている（例えば特許文献２参照）。
【先行技術文献】
【特許文献】
【０００５】
【特許文献１】特開２００９−２９６０４３号公報
【特許文献２】特開２００９−１００３２９号公報
【発明の概要】
【発明が解決しようとする課題】
【０００６】
ところで、複数の画像信号供給装置を画像表示装置に接続して使用する場合において、画像表示装置に選択されていない画像信号供給装置は、画像表示装置に画像信号を供給しても、その画像信号による画像が画像表示装置で表示されない。つまり、画像表示装置に選択されていない画像信号供給装置は、使用されていないということである。使用されていない画像信号供給装置は、電力の無駄な消費をなくすために、パワーオフ状態にすることが望ましい。しかしながら、使用されていない画像信号供給装置をパワーオフ状態にすることをユーザが怠ってしまうと、その画像信号供給装置は、使用されていないのにパワーオン状態のままになってしまい、電力を無駄に消費してしまう。
【０００７】
そこで、使用されていない画像信号供給装置を自動的にパワーオフ状態にすることが要望される。また、使用されていない画像信号供給装置を自動的にパワーオフ状態にする場合、画像表示装置での処理の負担を抑えることが望ましい。なお、上述した特許文献１又は特許文献５に開示の内容を適用したとしても、上記の問題を解決することはできない。
【０００８】
本発明は、上記課題を解決するためになされたものであり、使用されていないときに、自動的に、電力供給状態をパワーオフ状態にすることができる画像信号供給装置を提供することを目的とする。
【課題を解決するための手段】
【０００９】
上記目的を達成するために請求項１の発明は、供給された画像信号による画像をディスプレイに表示する画像表示装置に外部機器として接続して使用され、画像信号生成手段により生成した画像信号を画像表示装置に供給する画像信号供給装置において、本装置の電力供給状態を、画像信号生成手段に電力を供給しているパワーオン状態と、画像信号生成手段に電力を供給していないパワーオフ状態とに切り替える制御を行う電力供給状態制御手段を備え、電力供給状態制御手段は、画像表示装置の画像表示動作状態が本装置から供給される画像信号による画像をディスプレイに表示する状態であるか否かを判定し、この判定の結果、画像表示装置の画像表示動作状態が本装置から供給される画像信号による画像をディスプレイに表示する状態でなければ、本装置の電力供給状態をパワーオフ状態にするものである。
【００１０】
請求項２の発明は、請求項１に記載の画像信号供給装置において、画像表示装置には、複数の画像信号供給装置が接続可能であり、画像表示装置は、ＨＤＭＩ（High Definition Multimedia Interface）規格のＣＥＣ（Consumer Electronics Control）メッセージを送受信する機能を有しており、画像表示動作状態を、ある装置から供給される画像信号による画像をディスプレイに表示する状態から、別の装置から供給される画像信号による画像をディスプレイに表示する状態に切換えると、画像表示動作状態を切換えたこと及び画像表示動作状態を切換えた後の新しくディスプレイに画像を表示することになった画像信号の供給元の装置のアドレスを示すＣＥＣメッセージである＜Routing Change＞メッセージを送信し、電力供給状態制御手段は、＜Routing Change＞メッセージを受信したときに、＜Routing Change＞メッセージに示されているアドレスと本装置のアドレスとを比較して、画像表示装置の画像表示動作状態が本装置から供給される画像信号による画像をディスプレイに表示する状態であるか否かを判定し、この判定の結果、画像表示装置の画像表示動作状態が本装置から供給される画像信号による画像をディスプレイに表示する状態でなければ、本装置の電力供給状態をパワーオフ状態にするものである。
【発明の効果】
【００１１】
請求項１及び請求項２の発明によれば、画像表示装置の画像表示動作状態が本装置から供給される画像信号による画像を表示する状態でなければ、自動的に、本装置の電力供給状態がパワーオフ状態になる。画像表示装置の画像表示動作状態が本装置から供給される画像信号による画像を表示する状態でないときは、本装置から供給する画像信号による画像が画像表示装置で表示されておらず、本装置から供給する画像信号による画像がユーザに視聴されていないときであって、本装置が使用されていないときである。従って、本装置が使用されていないときに、自動的に、本装置の電力供給状態をパワーオフ状態にすることができ、電力の無駄な消費を抑えることができる。しかも、画像表示装置の画像表示動作状態が本装置から供給される画像信号による画像を表示する状態であるか否かの判定、すなわち、本装置が使用されているか否かの判定は、本装置で行うので、画像表示装置での処理の負担を抑えることができる。
【図面の簡単な説明】
【００１２】
【図１】本発明の一実施形態に係る画像信号供給装置と画像表示装置との接続構成例を示す図。
【図２】同画像信号供給装置が接続される画像表示装置の電気的ブロック構成図。
【図３】同画像信号供給装置の電気的ブロック構成図。
【図４】同画像信号供給装置の動作を示すフローチャート。
【発明を実施するための形態】
【００１３】
以下、本発明を具体化した実施形態による画像信号供給装置について図面を参照して説明する。図１は、本実施形態による画像信号供給装置と画像表示装置との接続構成例を示す。
【００１４】
画像信号供給装置１は、画像表示装置２に外部機器として接続して使用され、画像信号及び音声信号を生成して、その生成した画像信号及び音声信号を画像表示装置２に供給する装置である。本実施形態では、画像信号供給装置１は、ＳＴＢとＤＶＤプレーヤを兼ね備えた装置である。すなわち、画像信号供給装置１は、テレビジョン放送局から配信されるテレビジョン信号を受信し、受信したテレビジョン信号から画像信号及び音声信号を生成して、その生成した画像信号及び音声信号を供給する機能、及びＤＶＤやＢＤ（ブルーレイディスク）等の光ディスクから記録データを読取り、読取った記録データから画像信号及び音声信号を生成して、その生成した画像信号及び音声信号を供給する機能を有している。
【００１５】
画像表示装置２は、画像信号供給装置１から供給された画像信号による画像を表示する装置である。本実施形態では、画像表示装置２は、テレビジョン受像機である。すなわち、画像表示装置２は、テレビジョン放送局から配信されるテレビジョン信号を受信し、受信したテレビジョン信号から画像信号及び音声信号を生成して、その生成した画像信号による画像を表示すると共にテレビジョン信号から生成した音声信号による音声を出力する機能、及び画像信号供給装置１から供給された画像信号による画像を表示すると共に画像信号供給装置１から供給された音声信号による音声を出力する機能を有している。
【００１６】
画像信号供給装置１及び画像表示装置２は、放送局から放送電波の形態で配信されるテレビジョン信号を受信するためのアンテナ３に接続されている。また、画像信号供給装置１及び画像表示装置２は、ＨＤＭＩ（High Definition Multimedia Interface）規格のＣＥＣ（Consumer Electronics Control）メッセージを送受信する機能を有しており、画像信号供給装置１と画像表示装置２とは、ＨＤＭＩケーブル４を介して相互に接続されている。画像表示装置２には、複数台の画像信号供給装置１が接続可能であり、図示の例では、１台の画像表示装置２に、２台の画像信号供給装置１（１ａ、１ｂ）がＨＤＭＩケーブル４（４ａ、４ｂ）を介して接続されている。本実施形態では、２台の画像信号供給装置１ａ、１ｂは、同様な構成になっている。
【００１７】
画像信号供給装置１は、自身から供給する画像信号による画像が画像表示装置２で表示されておらず、自身から供給する画像信号による画像がユーザに視聴されていないとき（すなわち、自身が使用されていないとき）に、自動的に、自身の電力供給状態をパワーオフ状態にする自動パワーオフ機能を有している。
【００１８】
図２は、画像表示装置２の電気的ブロック構成を示す。画像表示装置２は、テレビジョン受信部２１と、ＨＤＭＩ送受信部２２と、出力切換部２３と、ディスプレイ２４と、スピーカ２５と、リモコン２６と、リモコン受信部２７と、画像表示装置２の動作を制御する制御部２８等を備える。制御部２８は、画像表示装置２の動作を制御するためのファームウェアを記憶しており、そのファームウェアに基いて、画像表示装置２の各種動作を制御する。
【００１９】
テレビジョン受信部２１は、チューナ２１ａとデコーダ２１ｂとを有する。チューナ２１ａは、制御部２８による制御のもと、受信周波数がテレビジョン信号の放送電波の周波数（放送チャンネル）に設定されることにより、その設定された周波数（放送チャンネル）の電波の形態で放送されているテレビジョン信号をアンテナ３を介して受信する。デコーダ２１ｂは、制御部２８による制御のもと、チューナ２１ａにより受信したテレビジョン信号を復調、復号処理して、チューナ２１ａにより受信したテレビジョン信号から画像信号及び音声信号を生成する。デコーダ２１ｂにより生成された画像信号及び音声信号は、出力切換部２３に与えられる。
【００２０】
ＨＤＭＩ送受信部２２は、制御部２８による制御のもと、ＨＤＭＩケーブル４ａ、４ｂを介して画像信号供給装置１ａ、１ｂとの間で各種信号を送受信する。すなわち、ＨＤＭＩ送受信部２２は、制御部２８による制御のもと、制御部２８から与えられたＣＥＣメッセージをＨＤＭＩケーブル４ａ、４ｂを介して画像信号供給装置１ａ、１ｂに送信する。また、ＨＤＭＩ送受信部２２は、制御部２８による制御のもと、画像表示装置１ａ、１ｂからＨＤＭＩケーブル４ａ、４ｂを介して画像信号、音声信号、及びＣＥＣメッセージを受信する。ＨＤＭＩ送受信部２２により受信した画像信号及び音声信号は、出力切換部２３に与えられる。また、ＨＤＭＩ送受信部２２により受信したＣＥＣメッセージは、制御部２８に与えられる。
【００２１】
出力切換部２３は、制御部２８による制御のもと、ディスプレイ２４及びスピーカ２５への画像信号及び音声信号の供給経路を切換える。すなわち、出力切換部２３は、制御部２８による制御のもと、デコーダ２１ｂから与えられた画像信号及び音声信号と、ＨＤＭＩ送受信部２２から与えられた画像信号及び音声信号の、いずれかを選択的に出力する。出力切換部２３から出力された画像信号及び音声信号は、ディスプレイ２４及びスピーカ２５に供給される。
【００２２】
ディスプレイ２４は、制御部２８による制御のもと、出力切換部２３から供給された画像信号による画像を表示する。スピーカ２５は、制御部２８による制御のもと、出力切換部２３から供給された音声信号による音声を出力する。
【００２３】
リモコン２６は、画像表示装置２、画像信号供給装置１ａ、及び画像信号供給装置１ｂの各種動作を指示するためにユーザにより操作され、その操作内容を示す赤外線による操作信号を送信する。リモコン受信部２７は、リモコン２６から送信された操作信号を受信して、リモコン２６の操作内容を示すリモコン受信信号を出力する。リモコン受信部２７から出力されたリモコン受信信号は、制御部２８に与えられる。
【００２４】
制御部２８は、画像表示装置２の電力供給状態を制御する。すなわち、制御部２８は、画像表示装置２各部への電力の供給／遮断を制御することにより、画像表示装置２の電力供給状態をパワーオン状態とパワーオフ状態とに切り替える（パワーオン状態とパワーオフ状態のいずれかの状態にする）制御を行う。ここで、画像表示装置２の電力供給状態におけるパワーオン状態とは、ディスプレイ２４による画像の表示及びスピーカ２５による音声の出力が行われる状態であって、テレビジョン受信部２１（チューナ２１ａ及びデコーダ２１ｂ）、出力切換部２３、ディスプレイ２４、及びスピーカ２５に電力を供給している状態である。また、画像表示装置２の電力供給状態におけるパワーオフ状態とは、いわゆるスタンバイ状態であり、ディスプレイ２４による画像の表示及びスピーカ２５による音声の出力が行われない状態であって、テレビジョン受信部２１、出力切換部２３、ディスプレイ２４、及びスピーカ２５に電力を供給していない状態である。なお、ＨＤＭＩ送受信部２２、リモコン受信部２７、及び制御部２８には、常に電力が供給されており、画像表示装置２の電力供給状態がパワーオフ状態のときにも、ＨＤＭＩ送受信部２２、リモコン受信部２７、及び制御部２８は動作している。
【００２５】
また、制御部２８は、テレビジョン信号の受信を制御する。すなわち、制御部２８は、チューナ２１ａの受信周波数をテレビジョン信号の放送チャンネルの周波数に設定することにより、その放送チャンネルのテレビジョン信号をチューナ２１ａによって受信させる。チューナ２１ａがテレビジョン信号を受信することにより、そのテレビジョン信号による画像信号及び音声信号がデコーダ２１ｂによって生成される。
【００２６】
また、制御部２８は、画像表示装置２の画像表示動作状態を制御する。すなわち、制御部２８は、画像表示装置２の電力供給状態がパワーオン状態になっているときにおいて、出力切換部２３における画像信号及び音声信号の供給経路の切換えを制御することにより、画像表示装置２の画像表示動作状態を自己画像表示状態と第１の外部画像表示状態と第２の外部画像表示状態に切り替える（自己画像表示状態と第１の外部画像表示状態と第２の外部画像表示状態のいずれかの状態にする）制御を行う。ここで、自己画像表示状態とは、テレビジョン受信部２１により生成した画像信号による画像をディスプレイ２４に表示すると共に、テレビジョン受信部２１により生成した音声信号による音声をスピーカ２５から出力する状態であって、画像信号の供給元として、自身（画像表示装置２）を選択した状態である。また、第１の外部画像表示状態とは、画像信号供給装置１ａから供給された画像信号による画像をディスプレイ２４に表示すると共に、画像信号供給装置１ａから供給された音声信号による音声をスピーカ２５から出力する状態であって、画像信号の供給元として、画像信号供給装置１ｂを選択した状態である。また、第２の外部画像表示状態とは、画像信号供給装置１ｂから供給された画像信号による画像をディスプレイ２４に表示すると共に、画像信号供給装置１ｂから供給された音声信号による音声をスピーカ２５から出力する状態であって、画像信号の供給元として、画像信号供給装置１ｂを選択した状態である。
【００２７】
自己画像表示状態になっているときに、テレビジョン受信部２１により画像信号及び音声信号を生成することにより、テレビジョン受信部２１により生成した画像信号及び音声信号が出力切換部２３を経由してディスプレイ２４及びスピーカ２５に供給されて、テレビジョン受信部２１により生成した画像信号による画像がディスプレイ２４に表示されると共に、テレビジョン受信部２１により生成した音声信号による音声がスピーカ２５から出力される。また、第１の外部画像表示状態になっているときに、画像信号供給装置１ａから画像信号及び音声信号が供給されることにより、画像信号供給装置１ａから供給された画像信号及び音声信号がＨＤＭＩ送受信部２２及び出力切換部２３を経由してディスプレイ２４及びスピーカ２５に供給されて、画像信号供給装置１ａから供給された画像信号による画像がディスプレイ２４に表示されると共に、画像信号供給装置１ａから供給された音声信号による音声がスピーカ２５から出力される。また、第２の外部画像表示状態になっているときに、画像信号供給装置１ｂから画像信号及び音声信号が供給されることにより、画像信号供給装置１ｂから供給された画像信号及び音声信号がＨＤＭＩ送受信部２２及び出力切換部２３を経由してディスプレイ２４及びスピーカ２５に供給されて、画像信号供給装置１ｂから供給された画像信号による画像がディスプレイ２４に表示されると共に、画像信号供給装置１ｂから供給された音声信号による音声がスピーカ２５から出力される。
【００２８】
また、制御部２８は、画像信号供給装置１ａ、１ｂとの間でＣＥＣメッセージを送受信する。すなわち、制御部２８は、ＣＥＣメッセージをＨＤＭＩ送受信部２２に与えて、そのＣＥＣメッセージをＨＤＭＩ送受信部２２によりＨＤＭＩケーブル４ａ、４ｂに送信させることによって、ＣＥＣメッセージを画像信号供給装置１ａ、１ｂに送信する。また、制御部２８は、ＨＤＭＩ送受信部２２によりＨＤＭＩケーブル４ａ、４ｂから受信したＣＥＣメッセージを、ＨＤＭＩ送受信部２２から取得することによって、画像信号供給装置１ａ、１ｂからＣＥＣメッセージを受信する。
【００２９】
制御部２８は、リモコン受信部２７から与えられるリモコン受信信号に基いて（すなわち、ユーザによるリモコン２６の操作を受けて）、画像表示装置２の電力供給状態、テレビジョン信号の受信、画像表示動作状態等を制御する。
【００３０】
また、制御部２８は、リモコン受信部２７から与えられたリモコン受信信号が画像信号供給装置１ａの動作を指示するための信号である場合（すなわち、ユーザによるリモコン２６の操作が画像信号供給装置１ａの動作を指示するための操作である場合）には、その指示内容を示すＣＥＣメッセージを画像信号供給装置１ａに送信する。また、制御部２８は、リモコン受信部２７から与えられたリモコン受信信号が画像信号供給装置１ｂの動作を指示するための信号である場合（すなわち、ユーザによるリモコン２６の操作が画像信号供給装置１ｂの動作を指示するための操作である場合）には、その指示内容を示すＣＥＣメッセージを画像信号供給装置１ｂに送信する。
【００３１】
また、制御部２８は、画像表示装置２の画像表示動作状態を切換えたとき、＜Routing Change＞メッセージを画像信号供給装置１ａ及び画像信号供給装置１ｂに送信する。＜Routing Change＞メッセージは、画像表示動作状態を切換えたこと及び画像表示動作状態を切換えた後の新しく画像を表示することになった画像信号の供給元の装置のアドレスを示すＣＥＣメッセージである。すなわち、制御部２８は、自己画像表示状態又は第１の外部画像表示状態から、第２の外部画像表示状態に切換えたとき、画像信号供給装置１ｂのアドレス「ｂｂｂｂ」を示した＜Routing Change＞メッセージを画像信号供給装置１ａ及び画像信号供給装置１ｂに送信する。また、制御部２８は、自己画像表示状態又は第２の外部画像表示状態から、第１の外部画像表示状態に切換えたとき、画像信号供給装置１ａのアドレス「ａａａａ」を示した＜Routing Change＞メッセージを画像信号供給装置１ａ及び画像信号供給装置１ｂに送信する。また、制御部２８は、第１の外部画像表示状態又は第２の外部画像表示状態から、自己画像表示状態に切換えたとき、画像表示装置２のアドレス「００００」を示した＜Routing Change＞メッセージを画像信号供給装置１ａ及び画像信号供給装置１ｂに送信する。
【００３２】
図３は、画像信号供給装置１の電気的ブロック構成を示す。画像信号供給装置１は、テレビジョン受信部（画像信号生成手段）１１と、光ディスクドライブ（画像信号生成手段）１２と、出力切換部１３と、ＨＤＭＩ送受信部１４と、画像信号供給装置１の動作を制御する制御部（電力供給状態制御手段）１５等を備える。制御部１５は、画像信号供給装置１の動作を制御するためのファームウェアを記憶しており、そのファームウェアに基いて、画像信号供給装置１の各種動作を制御する。
【００３３】
テレビジョン受信部１１は、チューナ１１ａとデコーダ１１ｂとを有する。チューナ１１ａは、制御部１５による制御のもと、受信周波数がテレビジョン信号の放送電波の周波数（放送チャンネル）に設定されることにより、その設定された周波数（放送チャンネル）の電波の形態で放送されているテレビジョン信号をアンテナ３を介して受信する。デコーダ１１ｂは、制御部１５による制御のもと、チューナ１１ａにより受信したテレビジョン信号を復調、復号処理して、チューナ１１ａにより受信したテレビジョン信号から画像信号及び音声信号を生成する。デコーダ１１ｂにより生成された画像信号及び音声信号は、出力切換部１３に与えられる。
【００３４】
光ディスクドライブ１２は、ＤＶＤ、ＢＤ（ブルーレイディスク）等の光ディスク１０が装着／取外しされるようになっており、制御部１５による制御のもと、光ディスク１０から記録データを読取って、その読取った記録データから画像信号及び音声信号を生成する。光ディスクドライブ１２により生成された画像信号及び音声信号は、出力切換部１３に与えられる。
【００３５】
出力切換部１３は、制御部１５による制御のもと、ＨＤＭＩ送受信部１４への画像信号及び音声信号の供給経路を切換える。すなわち、出力切換部１３は、制御部１５による制御のもと、デコーダ１１ｂから与えられた画像信号及び音声信号と、光ディスクドライブ１２から与えられた画像信号及び音声信号の、いずれかを選択的に出力する。出力切換部１３から出力された画像信号及び音声信号は、ＨＤＭＩ送受信部１４に供給される。
【００３６】
ＨＤＭＩ送受信部１４は、制御部１５による制御のもと、ＨＤＭＩケーブル４を介して画像表示装置２との間で各種信号を送受信する。すなわち、ＨＤＭＩ送受信部１４は、制御部１５による制御のもと、出力切換部１３から供給された画像信号及び音声信号をＨＤＭＩケーブル４を介して画像表示装置２に送信する。また、ＨＤＭＩ送受信部１４は、制御部１５による制御のもと、制御部１５から与えられたＣＥＣメッセージをＨＤＭＩケーブル４を介して画像表示装置２に送信する。また、ＨＤＭＩ送受信部１４は、制御部１５による制御のもと、画像表示装置２からＨＤＭＩケーブル４を介してＣＥＣメッセージを受信する。ＨＤＭＩ送受信部１４により受信したＣＥＣメッセージは、制御部１５に与えられる。
【００３７】
また、制御部１５は、画像信号供給装置１の（自身の）電力供給状態を制御する。すなわち、制御部１５は、画像信号供給装置１各部への電力の供給／遮断を制御することにより、画像信号供給装置１の電力供給状態をパワーオン状態とパワーオフ状態とに切り替える（パワーオン状態とパワーオフ状態のいずれかの状態にする）制御を行う。ここで、画像信号供給装置１の電力供給状態におけるパワーオン状態とは、テレビジョン受信部１１による画像信号及び音声信号の生成、及び光ディスクドライブ１２による画像信号及び音声信号の生成が行われ得る状態であって、テレビジョン受信部１１（チューナ１１ａ及びデコーダ１２）、光ディスクドライブ１２、及び出力切換部１３に電力を供給している状態である。また、画像信号供給装置１の電力供給状態におけるパワーオフ状態とは、いわゆるスタンバイ状態であり、テレビジョン受信部１１による画像信号及び音声信号の生成、及び光ディスクドライブ１２による画像信号及び音声信号の生成が行われない（従って、画像表示装置２への画像信号の供給が行われない）状態であって、テレビジョン受信部１１、光ディスクドライブ１２、及び出力切換部１３に電力を供給していない状態である。なお、ＨＤＭＩ送受信部１４、及び制御部１５には、常に電力が供給されており、画像信号供給装置１の電力供給状態がパワーオフ状態のときにも、ＨＤＭＩ送受信部１４、及び制御部１５は動作している。
【００３８】
また、制御部１５は、テレビジョン信号の受信を制御する。すなわち、制御部１５は、チューナ１１ａの受信周波数をテレビジョン信号の放送チャンネルの周波数に設定することにより、その放送チャンネルのテレビジョン信号をチューナ１１ａによって受信させる。チューナ１１ａがテレビジョン信号を受信することにより、そのテレビジョン信号による画像信号及び音声信号がデコーダ１１ｂによって生成される。
【００３９】
また、制御部１５は、光ディスク１０からの記録データの読取りを制御する。すなわち、制御部１５は、光ディスクドライブ１２に読取指令を出力することにより、光ディスク１０に記録されている記録データを光ディスクドライブ１２によって読取らせる。光ディスクドライブ１２が光ディスク１０に記録されている記録データを読取ることにより、その記録データによる画像信号及び音声信号が光ディスクドライブ１２によって生成される。
【００４０】
また、制御部１５は、画像信号供給装置１の（自身の）画像信号供給状態を制御する。すなわち、制御部１５は、画像信号供給装置１の電力供給状態がパワーオン状態になっているときにおいて、出力切換部１３における画像信号及び音声信号の供給経路の切換えを制御することにより、画像信号供給装置１の画像信号供給状態をテレビジョン画像信号供給状態と光ディスク画像信号供給状態とに切り替える（テレビジョン画像信号供給状態と光ディスク画像信号供給状態のいずれかの状態にする）制御を行う。ここで、テレビジョン画像信号供給状態とは、テレビジョン受信部１１により生成した画像信号及び音声信号を画像表示装置２に供給する状態である。また、光ディスク画像信号供給状態とは、光ディスクドライブ１２により生成した画像信号及び音声信号を画像表示装置２に供給する状態である。
【００４１】
テレビジョン画像信号供給状態になっているときに、テレビジョン受信部１１により画像信号及び音声信号を生成することにより、テレビジョン受信部１１により生成した画像信号及び音声信号が出力切換部１３及びＨＤＭＩ送受信部１４を経由して画像表示装置２に供給される。また、光ディスク画像信号供給状態になっているときに、光ディスクドライブ１２により画像信号及び音声信号を生成することにより、光ディスクドライブ１２により生成した画像信号及び音声信号が出力切換部１３及びＨＤＭＩ送受信部１４を経由して画像表示装置２に供給される。
【００４２】
また、制御部１５は、画像表示装置２との間でＣＥＣメッセージを送受信する。すなわち、制御部１５は、ＣＥＣメッセージをＨＤＭＩ送受信部１４に与えて、そのＣＥＣメッセージをＨＤＭＩ送受信部１４によりＨＤＭＩケーブル４に送信させることによって、ＣＥＣメッセージを画像表示装置２に送信する。また、制御部１５は、ＨＤＭＩ送受信部１４によりＨＤＭＩケーブル４から受信したＣＥＣメッセージを、ＨＤＭＩ送受信部１４から取得することによって、画像表示装置２からＣＥＣメッセージを受信する。
【００４３】
制御部１５は、画像表示装置２から受信した画像信号供給装置１に対する（自身に対する）動作の指示内容を示すＣＥＣメッセージに基いて、画像信号供給装置１の（自身の）電力供給状態、テレビジョン信号の受信、光ディスク１０からの記録データの読取り、画像信号供給装置１の（自身の）画像信号供給状態等を制御する。
【００４４】
また、制御部１５は、自身が使用されていないときに、画像信号供給装置１の（自身の）電力供給状態をパワーオフ状態にする。すなわち、制御部１５は、画像表示装置２の画像表示動作状態が画像信号供給装置１から（自身から）供給される画像信号による画像を表示する状態であるか否かを判定し、この判定の結果、画像表示装置２の画像表示動作状態が画像信号供給装置１から供給される画像信号による画像を表示する状態でなければ、画像信号供給装置１の電力供給状態をパワーオフ状態にする。つまり、画像信号供給装置１が画像信号供給装置１ａである場合には、制御部１５は、画像表示装置２の画像表示動作状態が第１の外部画像表示状態でなければ（第２の外部画像表示状態、又は自己画像表示状態であれば）、画像信号供給装置１ａの（自身の）電力供給状態をパワーオフ状態にする。また、画像信号供給装置１が画像信号供給装置１ｂである場合には、制御部１５は、画像表示装置２の画像表示動作状態が第２の外部画像表示状態でなければ（第１の外部画像表示状態、又は自己画像表示状態であれば）、画像信号供給装置１ｂの（自身の）電力供給状態をパワーオフ状態にする。
【００４５】
画像表示装置２の画像表示動作状態が画像信号供給装置１から供給される画像信号による画像を表示する状態であるか否かの判定は、画像表示装置２から受信した＜Routing Change＞メッセージに基いて行われる。制御部１５は、画像表示装置２から＜Routing Change＞メッセージを受信したときに、その受信した＜Routing Change＞メッセージに示されているアドレスと自身の（画像信号供給装置１の）アドレスとを比較することにより、画像表示装置２の画像表示動作状態が画像信号供給装置１から供給される画像信号による画像を表示する状態であるか否かを判定する。
【００４６】
この判定は、受信した＜Routing Change＞メッセージに示されているアドレスが自身のアドレスと同じであれば、画像表示装置２の画像表示動作状態が、画像信号供給装置１から供給される画像信号による画像を表示する状態であると判定し、受信した＜Routing Change＞メッセージに示されているアドレスが自身のアドレスと同じでなければ、画像表示装置２の画像表示動作状態が、画像信号供給装置１から供給される画像信号による画像を表示する状態でないと判定する。つまり、画像信号供給装置１が画像信号供給装置１ａである場合には、制御部１５は、受信した＜Routing Change＞メッセージに示されているアドレスが自身のアドレス「ａａａａ」であれば、画像表示装置２の画像表示動作状態が、自身（画像信号供給装置１ａ）から供給される画像信号による画像を表示する状態（第１の外部画像表示状態）であると判定する。一方、受信した＜Routing Change＞メッセージに示されているアドレスが自身のアドレス「ａａａａ」以外であれば、制御部１５は、画像表示装置２の画像表示動作状態が、自身から供給される画像信号による画像を表示する状態でないと判定する。また、画像信号供給装置１が画像信号供給装置１ｂである場合には、受信した＜Routing Change＞メッセージに示されているアドレスが自身のアドレス「ｂｂｂｂ」であれば、制御部１５は、画像表示装置２の画像表示動作状態が、自身（画像信号供給装置１ｂ）から供給される画像信号による画像を表示する状態（第２の外部画像表示状態）であると判定する。一方、受信した＜Routing Change＞メッセージに示されているアドレスが自身のアドレス「ｂｂｂｂ」以外であれば、制御部１５は、画像表示装置２の画像表示動作状態が、自身から供給される画像信号による画像を表示する状態でないと判定する。
【００４７】
図４は、画像信号供給装置１の動作フローチャートを示す。制御部１５は、画像表示装置２から＜Routing Change＞メッセージを受信すると（＃１でＹＥＳ）、自身（画像信号供給装置１）の電力供給状態がパワーオン状態であるか否かを判定する（＃２）。ここで、自身の電力供給状態がパワーオン状態である場合には（＃２でＹＥＳ）、制御部１５は、受信した＜Routing Change＞メッセージに示されているアドレスが自身（画像信号供給装置１）のアドレスと同じであるか否かを判定する（＃３）。
【００４８】
そして、受信した＜Routing Change＞メッセージに示されているアドレスが自身のアドレスと同じでなければ（＃３でＮＯ）、制御部１５は、自身の電力供給状態をパワーオフ状態にする（＃４）。一方、受信した＜Routing Change＞メッセージに示されているアドレスが自身のアドレスと同じであれば（＃３でＹＥＳ）、制御部１５は、自身の電力供給状態をパワーオフ状態にせず、パワーオン状態のまま維持する。また、上記＃２において、自身の電力供給状態がパワーオフ状態である場合には（＃２でＮＯ）、制御部１５は、自身の電力供給状態をパワーオフ状態のまま維持する。
【００４９】
このような構成の画像信号供給装置１によれば、画像表示装置２の画像表示動作状態が画像信号供給装置１から供給される画像信号による画像を表示する状態でなければ、自動的に、画像信号供給装置１の電力供給状態がパワーオフ状態になる。画像表示装置２の画像表示動作状態が画像信号供給装置１から供給される画像信号による画像を表示する状態でないときは、画像信号供給装置１から供給する画像信号による画像が画像表示装置２で表示されておらず、画像信号供給装置１から供給する画像信号による画像がユーザに視聴されていないときであって、画像信号供給装置１が使用されていないときである。従って、画像信号供給装置１が使用されていないときに、自動的に、画像信号供給装置１の電力供給状態をパワーオフ状態にすることができ、電力の無駄な消費を抑えることができる。しかも、画像表示装置２の画像表示動作状態が画像信号供給装置１から供給される画像信号による画像を表示する状態であるか否かの判定、すなわち、画像信号供給装置１が使用されているか否かの判定は、画像信号供給装置１で行うので、画像表示装置２での処理の負担を抑えることができる。
【００５０】
なお、本発明は、上記実施形態の構成に限られず、種々の変形が可能である。例えば、画像信号供給装置は、ＳＴＢとＤＶＤプレーヤのいずれか一方の機能を備えたものであってもよい。また、画像表示装置は、テレビジョン受像機としての機能を備えておらず、画像信号供給装置から供給される画像信号による画像を表示する機能のみを備えたものであってもよい。また、画像信号供給装置の制御部は、画像表示装置が自己画像表示状態になっているときや、画像表示装置がパワーオフ状態になっているときに、自身（画像信号供給装置）をパワーオフ状態にしてもよい。
【符号の説明】
【００５１】
１、１ａ、１ｂ    画像信号供給装置
２    画像表示装置
３    アンテナ
４、４ａ、４ｂ    ＨＤＭＩケーブル
１０    光ディスク
１１    テレビジョン受信部（画像信号生成手段）
１１ａ    チューナ
１１ｂ    デコーダ
１２    光ディスクドライブ（画像信号生成手段）
１３    出力切換部
１４    ＨＤＭＩ送受信部
１５    制御部（電力供給状態制御手段）
２１    テレビジョン受信部
２１ａ    チューナ
２１ｂ    デコーダ
２２    ＨＤＭＩ送受信部
２３    出力切換部
２４    ディスプレイ
２５    スピーカ
２６    リモコン
２７    リモコン受信部
２８    制御部
【図１】
2012049744.tif 000003
【図２】
2012049744.tif 000004
【図３】
2012049744.tif 000005
【図４】
2012049744.tif 000006